(57)【要約】【課題】撮影に最適な照明環境を提供することのできる照明装置を提供する。【解決手段】照明装置１００は、写真撮影装置の撮影スペースの、被写体の上方の天井面に取付可能である。照明装置１００は、１以上のフラッシュ１１０を備え、カメラ２１のシャッタタイミングに同期して照明を行なう。さらに照明装置１００は、遮光板１２０ａおよび遮光板１２０ｂを備えることを特徴とする。遮光板１２０ａは、フラッシュ１１０から照射される光が直接カメラ２１に入射することを遮り、遮光板１２０ｂは、フラッシュ１１０から照射される光が背景カーテン５に直接照射されることを遮る。【選択図】　　　　図５
2004109433.tif 000002
【特許請求の範囲】
【請求項１】
写真撮影装置に取付可能な照明装置であって、
前記写真撮影装置の撮影スペースの上面であって、被写体の上方向の面に取付けられる取付手段と、
光源から前記被写体に対する直接の照射を遮る第１の遮光を行なう遮光手段とを備える、照明装置。
【請求項２】
前記遮光手段は、前記光源から、前記被写体を撮影する撮影手段に対する直接の照射を遮る第２の遮光をさらに行なうことを特徴とする、請求項１に記載の照明装置。
【請求項３】
前記遮光手段は、前記光源から、前記被写体の背後に位置する面に対する直接の照射を遮る第３の遮光をさらに行なうことを特徴とする、請求項１または２に記載の照明装置。
【請求項４】
前記遮光手段は、光を透過しない素材で形成される遮光板であって、前記遮光板の前記光源側の面は、前記光源から照射される光を反射することを特徴とする、請求項１〜３のいずれかに記載の照明装置。
【請求項５】
前記遮光手段の位置または取付け方向が可変であることを特徴とする、請求項１〜４のいずれかに記載の照明装置。
【請求項６】
撮影スペースの上面であって、被写体の上方向の面に照明装置を備える写真撮影装置であって、
前記被写体を撮影する撮影手段と、
前記撮影手段における撮影と同期して前記照明装置の光源から光を照射させる照明手段とを備え、
前記照明装置は、前記光源から前記被写体に対する直接の照射を遮る第１の遮光を行なう遮光手段を備える、写真撮影装置。
【請求項７】
前記照明装置の遮光手段は、前記光源から前記撮影手段に対する直接の照射を遮る第２の遮光をさらに行なうことを特徴とする、請求項６に記載の写真撮影装置。
【請求項８】
前記照明装置の遮光手段は、前記光源から、前記被写体の背後に位置する面に対する直接の照射を遮る第３の遮光をさらに行なうことを特徴とする、請求項６または７に記載の写真撮影装置。
【請求項９】
前記照明装置の遮光手段の位置を制御する位置制御手段をさらに備える、請求項６〜８のいずれかに記載の写真撮影装置。
【発明の詳細な説明】
【０００１】
【発明の属する技術分野】
この発明は照明装置および写真撮影装置に関し、特に、撮影に最適な照明環境を提供することのできる照明装置および写真撮影装置に関する。
【０００２】
【従来の技術】
写真撮影装置においては、被写体を撮影するときの照明環境（ライティング）の設計が重要な要素となる。
【０００３】
例えば、被写体の先方より光を照射する場合においては、反射板を用いて被写体に直接照射しないような工夫や、拡散板を用いて照射される光を柔らかくするなどの手法が用いられている。
【０００４】
具体的には、特許文献１には、被写体の頭部斜め前方上に、反射光がレフ板を介して被写体に照射されるようフラッシュを配置する画像撮影装置が開示されている。また、特許文献２には、被写体の背後から光を照射する写真シール作成機が開示されている。
【０００５】
【特許文献１】
特開２００２−２３２７４９号公報
【０００６】
【特許文献２】
特開２００１−７５１５４号公報
【０００７】
【発明が解決しようとする課題】
しかしながら、特許文献１に開示されているような、被写体の前方より光を照射する場合においては、全身撮影を行なうときなど、写真撮影装置内の中央もしくは後方に被写体が位置する場合に、照明装置から離れてしまうため被写体に十分な光が届かないという問題がある。
【０００８】
また、特許文献２に開示されているような、被写体の背後や床面から光を照射する場合には、被写体に直接照射光が当たり、被写体の一部が極端に光ってしまう、いわゆる「てかり」が発生し、美しい写真を得られないという問題がある。
【０００９】
本発明はこれらの問題に鑑みてなされたものであって、撮影に最適な照明環境を提供することのできる照明装置および写真撮影装置を提供することを目的とする。
【００１０】
【課題を解決するための手段】
上記目的を達成するために、本発明のある局面に従うと、照明装置は、写真撮影装置に取付可能な照明装置であって、写真撮影装置の撮影スペースの上面であって、被写体の上方向の面に取付けられる取付手段と、光源から被写体に対する直接の照射を遮る第１の遮光を行なう遮光手段とを備える。
【００１１】
また、上述の遮光手段は、光源から、被写体を撮影する撮影手段に対する直接の照射を遮る第２の遮光をさらに行なうことが望ましい。
【００１２】
また、上述の遮光手段は、光源から、被写体の背後に位置する面に対する直接の照射を遮る第３の遮光をさらに行なうことが望ましい。
【００１３】
また、上述の遮光手段は、光を透過しない素材で形成される遮光板であって、遮光板の光源側の面は、光源から照射される光を反射することが望ましい。
【００１４】
また、上述の遮光手段の位置または取付け方向が可変であることが望ましい。本発明の他の局面に従うと、写真撮影装置は、撮影スペースの上面であって、被写体の上方向の面に照明装置を備える写真撮影装置であって、被写体を撮影する撮影手段と、撮影手段における撮影と同期して照明装置の光源から光を照射させる照明手段とを備え、照明装置は、光源から被写体に対する直接の照射を遮る第１の遮光を行なう遮光手段を備える。
【００１５】
また、照明装置の遮光手段は、光源から撮影手段に対する直接の照射を遮る第２の遮光をさらに行なうことが望ましい。
【００１６】
また、照明装置の遮光手段は、光源から、被写体の背後に位置する面に対する直接の照射を遮る第３の遮光をさらに行なうことが望ましい。
【００１７】
また、写真撮影装置は、照明装置の遮光手段の位置を制御する位置制御手段をさらに備えることが望ましい。
【００１８】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１９】
図１は、本実施の形態における写真撮影装置である、写真自動販売機の外観の具体例を示す図である。図１を参照して、本実施の形態における写真自動販売機は、パーソナルコンピュータ（以下、ＰＣと言う）１０１（図３参照）、プリンタ１２、および制御部１０２（基盤）（図３参照）などの各種機器類を納める筐体１と、筐体１と共に撮影ブース４を形成するパネル２と、フレーム材３とを含む。
【００２０】
このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であっても構わない。また、被写体であるユーザ１５は、図１においては、１人であるものとして示されているが、複数であっても構わない。
【００２１】
上述のパネル２が木製である場合には、左側面（図１の手前側）、右側面（図１の奥）、背面（図１の右側）、および天井面（図１の上側）等に大きく分割されている。さらに、背面のパネル２は大きいことから、上下または左右に２枚に分割されている場合がある。また、撮影ブース４の内部となるパネル２の裏面は、照明の反射による間接光を目的とする場合は白色、逆に光を吸収させたい時は黒色、クロマキー合成を行なう目的の時は青色等の色彩が施される。すなわち、パネル２の裏面の色は、当該写真自動販売機がどのような撮影を行なうかによって、設計開発時に適宜選ばれる。また、パネル２は、布またはビニル材で代替することもでき、その場合には、フレーム材３にたるみなく張られた状態で固定され備えられる。
【００２２】
プリンタ１２は、撮影された画像を紙やシールや金属やプラスティック等の印刷媒体に印刷するためのプリンタであって、昇華型プリンタやサーモオートクローム方式（光定着型直接感熱記録方式）等のプリンタが一般的である。なお、本実施の形態においては、プリンタ１２でシールが印刷されるものとして説明を行なうが、印刷媒体はシールに限定されず、上に示す他の印刷媒体であっても同様の処理が実行される。
【００２３】
さらに、撮影ブース４内には背景カーテン５が配備され、撮影時の背景として用いられる。背景の色によって、被写体の写り方、特に色調が変わってくるため、様々な色、柄のカーテンが複数枚用意されている。また、背景カーテン５が備えられていなくても構わない。さらに、背景カーテン５は、巻上げ式、引出し方式等、ユーザ１５の操作によりセットされてもよいし、操作部２４（図２参照）等を操作することで自動でセットされてもよい。また、背景カーテン５は、様々な種類が配備されることで、撮影における遊びの要素ともなり得る。
【００２４】
また、ユーザ１５が撮影ブース４内に出入りできるように、当該写真自動販売機の側面は開けられているが、撮影が妨げられないよう、また外部光を遮断するためなどの理由で、その側面にサイドカーテン６を備える。なお、撮影ブース４への出入が一方の側面のみである場合には、その側面にのみサイドカーテン６が備えられていてもよい。また、両側面から出入できる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４側）の色等は、背景カーテン５やパネル２内面と同様の理由で適宜選ばれる。
【００２５】
さらに写真自動販売機の外側には、メインポスター７と、バックドア８と、プリント取出口９とが備えられる。
【００２６】
バックドア８は、筐体１の背面に備えられるドアであって、バックドア８を開けることで筐体１の内部のメンテナンスを行なうことができる。なお、通常は、錠が掛けられており、いたずら等が防止されている。
【００２７】
プリント取出口９は、筐体１の側面に備えられ、箱型の形状を奏している。プリンタ１２でプリントされた写真が排出され、ここに落とされる。そして、ユーザ１５は、プリント取出口９よりプリントされた写真を取出す。なお、プリント取出口９付近には印刷中ＬＥＤ（Ｌｉｇｈｔ　Ｅｍｉｔｔｉｎｇ　Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰まり、メカニカルエラーなどのエラーが発生しているという状態を知ることができる。
【００２８】
メインポスター７は、当該写真自動販売機の商品名や製造メーカーや商品イメージ等を広告するためのポスターであって、当該写真自動販売機の最も目立つ位置に備えられる。
【００２９】
さらに、図２に、上述の筐体１を正面（撮影ブース４内方向）から見た具体例を示す。
【００３０】
図２を参照して、筐体１の正面、すなわち被写体であるユーザ１５と相対する面には、上部カメラ２１ａと下部カメラ２１ｂと、モニタ２２と、デモンストレーション（以下、「デモ」と略す）音声や、ＢＧＭ、操作方法などのアナウンスを出力するスピーカ２３と、デモ画面や撮影中の操作手順、ユーザ１５へのアナウンスなどを表示する操作用のディスプレイであって、タブレットペン１４を用いた情報入力を受付ける入力用のディスプレイでもあるタブレットディスプレイ１３と、対価である硬貨を投入するためのコイン投入口２６と、前面のメンテナンス等を行なうためのドアであって、錠２７によって施錠されているフロントドア２８とが備えられる。
【００３１】
上部カメラ２１ａと下部カメラ２１ｂからなるカメラ２１としては、デジタルカメラが用いられる。一般的なデジタルカメラで設定できる項目（たとえばシャッタスピード、絞り値、露出補正、ホワイトバランスなど）の変更や、撮影タイミングは、ＰＣ１０１（図３参照）から指示される。
【００３２】
また、上述のタブレットディスプレイ１３は、筐体１の正面（ユーザ１５の正面）に備えられるディスプレイであって、撮影後の画像を表示する。また、ユーザ１５より、その画像に対してタブレットペン１４を用いた編集入力（らくがき）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、１つのみ備えられてもよいし、図２に示されるように複数のユーザ１５で編集入力が可能なよう、複数備えられていてもよい。
【００３３】
また、筐体１の側面右には、上部照明ボックス１８ａと下部照明ボックス１８ｂとからなる照明ボックス１８が備えられる。照明ボックス１８は、その内部に、常時点灯している蛍光灯等の照明装置３０を備える。さらに、効果的な照明を行なうために、その内部に複数の蛍光灯等の照明装置３０が備えられることが望ましい。
【００３４】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ　Ａｒｅａ　Ｎｅｔｗｏｒｋ）ケーブル差込口等がさらに備えられていることが好ましい。なお、このようなファンは、筐体１内部の熱を逃がす目的で備えられるものであるため、筐体１の上面に限定されず、熱を発生しやすい機器類の近傍等の他の場所に備えられても、また複数備えられても構わない。また、ＬＡＮケーブル差込口が備えられる位置も、ケーブルの配線の取回しが容易な位置であれば筐体１の上面に限定されない。
【００３５】
次に、図３に、本実施の形態における写真自動販売機の機能ブロック図を示し、写真自動販売機の機能について説明する。
【００３６】
図３を参照して、写真自動販売機は、当該写真自動販売機を動作させるためのＰＣ１０１と、基板から構成され動作中のＰＣ１０１からの指示を受付けて接続されている各種装置を制御する制御部１０２とを備える。
【００３７】
さらに、上述のＰＣ１０１は、ＰＣ１０１の制御を行なう演算装置であるＣＰＵ（Ｃｅｎｔｒａｌ　Ｐｒｏｃｅｓｓｉｎｇ　Ｕｎｉｔ）と、装置を動作させるためのプログラムおよびプログラムで必要なグラフィックデータ、音声データ、撮影された画像や撮影画像に対して入力した編集画像などの各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００３８】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ　Ｐｏｗｅｒ　Ｓｕｐｐｌｙ）１０４が電源をバックアップし、ＰＣ１０１に停電信号を送信する。その間に、ＰＣ１０１はプログラムの終了の手続きを行ない、プログラムを正常に終了させることができる。
【００３９】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリューム、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。また、本実施の形態における写真自動販売機において、タブレットディスプレイ１３を選択的に設置する場合には、その設置箇所の入力も、上述のテストモードで行なうことができる。
【００４０】
また、制御部１０２は、操作部２４、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部１０６、フラッシュ３１、コイン制御部１０７、印刷中ＬＥＤ１０、印刷エラーＬＥＤ１１を制御したりする。
【００４１】
コイン制御部１０７では、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００４２】
サービスパネル１０５では、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声を、サービスパネル１０５上のボリュームにより制御部１０２を介してスピーカ２３への出力を制御する。
【００４３】
操作部２４では、操作部２４での入力信号を制御部１０２に送る。入力信号はＰＣ１０１に送信され、ＰＣ１０１では、操作内容に応じた処理が行なわれる。
【００４４】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００４５】
なお、言うまでもなく、写真自動販売機の形態は、図１〜図３に示される具体例に限定されるものではない。すなわち、図１〜図３に記載されない他の機能が備えられていてもよいし、図１〜図３に記載されている機能の必ずしも全てが備えられていなくても構わない。例えば、プリンタ１２は写真自動販売機に含まれていなくてもよく、その場合、写真自動販売機は、ＬＡＮ（Ｌｏｃａｌ　Ａｒｅａ　Ｎｅｔｗｏｒｋ）等の専用回線や無線通信等を介して印刷制御信号をプリンタ１２に出力するものとする。
【００４６】
次に、図４のフローチャートを用いて、本実施の形態における写真自動販売機での処理について説明する。図４のフローチャートに示される処理は、ＰＣ１０１のＣＰＵが、記憶装置に記憶されるプログラムをメモリに読出して実行することによって実現される。
【００４７】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをタブレットディスプレイ１３に表示し、同時に音声をスピーカ２３から出力する（Ｓ１００）。
【００４８】
タイトルデモが表示されている状態で、コイン投入口２６において、当該写真自動販売機を利用するのためのコインの投入を受付ける（Ｓ１１０）。なお、上述のコインの受付けに替えて、タイトルデモ表示中にテストボタンを押下することによって、当該写真自動販売機のメンテナンスを行なうためのテストモードが起動する。
【００４９】
テストモードは、当該写真自動販売機の設置者が操作するためのモードであり、当該写真自動販売機の利用状況の確認（たとえばコイン投入数など）や、カメラ２１、プリンタ１２など周辺機器の調整ができる。
【００５０】
ここで当該写真自動販売機の設置者とは、当該写真自動販売機を設置し営業を行なっている店舗等の経営者、管理者、および従業員であり、営業中に、利用者に対応できる者である。
【００５１】
ステップＳ１１０で受付けたコインは、コイン制御部１０７において正当性や枚数等が検知される。そして、正常にコインを受付けるとプレイが開始される。
【００５２】
まず、当該写真自動販売機における処理（プレイ）は、撮影から始まる。始めに、カメラ２１が取得する画像を、モニタ２２にリアルタイムに表示する。ユーザ１５は、モニタ２２に表示される画像を見ながら、好みの表情やポーズをとることができる。なお、ここでは、カメラ２１が取得した画像をそのままモニタ２２に表示しても構わないし、左右に反転処理して表示しても構わない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００５３】
次に、撮影方法に複数のモードがある場合は、その選択肢を操作ディスプレイ２５に提示し、操作部２４のボタン等で好みの撮影モードをユーザ１５から受付ける（Ｓ１２０）。そして、選択された撮影モードで撮影を開始する（Ｓ１３０）。
【００５４】
また、ここでは、撮影モードだけでなく、ユーザ１５は、タブレットディスプレイ１３に表示される操作画面およびスピーカ２３から流れる音声に従って、背景カーテン５を選択したり、カメラ２１を好みの位置に移動させたり、カメラ２１の向きを回転調整したりできる。これらの指示は、タブレットディスプレイ１３や、タブレット１４による入力等で受付ける。さらに、カメラ２１の近傍等にカメラ２１の向きやズーム等の指示を行なうボタン等が備えられる場合には、それによってカメラ２１の向きやズーム等の指示を受付ける。そして、受付けた撮影モードや背景カーテン５等で撮影を行なう。
【００５５】
撮影は、時間経過と共に「３．２．１」などのカウントダウンをタブレットディスプレイ１３あるいはスピーカ２３に出力して自動で行なうことができる。また、カメラ２１の近傍に設けられた撮影ボタン（図示せず）を押下することで行なってもよい。
【００５６】
撮影は、ＰＣ１０１からカメラ２１に撮影信号が送信されることでシャッタが切られ、実行される。ステップＳ１３０では、このような撮影を所定回数繰返し行なう。
【００５７】
撮影が終了すると、撮影した画像をタブレットディスプレイ１３に全て表示する。そして、その中からユーザ１５が気に入った画像をタブレットペン１４でタッチされることによって受付ける（Ｓ１４０）。
【００５８】
ユーザ１５からの選択を受付けると、選択された画像をタブレットディスプレイ１３に表示する。そして、さらに、撮影画像自体の明るさ調整（ハイキー調整）、回転等の画像処理を行なう画面が表示され、ユーザ１５の好みにより撮影した画像を調整または加工することができる。
【００５９】
次に、選択された撮影画像に対して、ユーザ１５からタブレットペン１４により編集入力を受付ける（Ｓ１５０）。
【００６０】
編集入力中、タブレットディスプレイ１３に、撮影された画像と入力する画像とを切替えるためのボタンや、画像を切替えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄等を選択した後、表示された画像上で編集入力を行なう。編集中には、編集入力された画像と撮影された画像との画像合成をリアルタイムに実行し、タブレットディスプレイ１３に表示する。
【００６１】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００６２】
編集入力が終了すると、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００６３】
そして、選択された画像の枚数に応じて、予め決められた複数の印刷レイアウトをタブレットディスプレイ１３に表示し、ユーザ１５の選択を受付ける（Ｓ１７０）。
【００６４】
印刷する画像の選択と印刷レイアウトの選択とを受付けると、プリンタ１２に、印刷画像データと印刷レイアウトデータとを含む印刷制御信号を出力する。さらに、ユーザ１５をプリンタ１２の前に誘導するアナウンス（たとえば「シールは左から出るよ！」）を表示する。そして、プリンタ１２で印刷を実行し（Ｓ１８０）、プリント取出口９よりユーザ１５に提供する（Ｓ１９０）。
【００６５】
以上の処理が、１組のユーザ１５が本実施の形態の写真自動販売機で行なうプレイである。そして、上述の処理を終了すると、次にコインが投入されるまで、再度タイトルデモをタブレットディスプレイ１３およびスピーカ２３から出力する。
【００６６】
本実施の形態においては、このような写真自動販売機に、さらに着脱可能な照明装置１００が備えられることを特徴とする。図５に、照明装置１００が設置された写真自動販売機の具体例を示す。
【００６７】
図５を参照して、本実施の形態において写真自動販売機に設置される照明装置１００は、写真自動販売機の撮影ブース４内であって、被写体であるユーザ１５の上方の、天井面のパネル２に設置される。
【００６８】
照明装置１００は、１以上のフラッシュ１１０を備え、筐体１の電源制御部１０３から電源ケーブルによって電源の供給を受ける。また、カメラ２１から、同期信号ケーブルによって、シャッタタイミングの同期信号を受取る。このため、照明装置１００は、カメラ２１のシャッタタイミングに同期して、フラッシュ１１０によって照明を行なう。すなわち、上述のステップＳ１３０における撮影タイミングに、フラッシュ１１０による照明が行なわれる。フラッシュ１１０は、上向きに照射されるように設置されることが好ましい。
【００６９】
また、図５のように、照明装置１００から伸びる１本の同期信号ケーブルが、上部カメラ２１ａと下部カメラｂとに分岐するように接続されているため、上記いずれのカメラによる撮影でも、シャッタタイミングに同期して照明装置１００で照明が行なわれて撮影を行なうことができる。
【００７０】
さらに図５を参照して、照明装置１００は、遮光板１２０ａおよび遮光板１２０ｂを備えることを特徴とする。遮光板１２０ａは、フラッシュ１１０から照射される光が直接カメラ２１に入射することを遮るものであり、遮光板１２０ｂは、フラッシュ１１０から照射される光が背景カーテン５に直接照射されることを遮るものである。なお、当該写真撮影装置に背景カーテン５が備えられていない場合には、遮光板１２０ｂは、フラッシュ１１０から照射される光が、被写体であるユーザ１５の背後に位置するパネル２に直接照射されることを遮る。
【００７１】
さらに図６を用いて、照明装置１００の構成について詳細な説明を行なう。図６は、照明装置１００を斜め上方向から見下ろした概略図である。
【００７２】
図６を参照して、照明装置１００は、天板１３１と底板１３２と４枚の側板１３３とからなる箱形状の照明部分と、２枚の遮光板１２０とから構成される。箱形状の照明部分の内部には、１以上のフラッシュ１１０が格納され、同期信号ケーブルを介して得る同期信号によってカメラ２１と同期して照明する。
【００７３】
フラッシュ１１０については、一般的に市販されているフラッシュ管を用いて構成されるものであるため、ここでの詳細な説明は行なわない。
【００７４】
天板１３１および底板１３２は、光を透過しない素材で形成される板であって、その照明部分の内側の面は光を反射する機能を備える。このような機能を容易に実現するため、天板１３１および底板１３２の照明部分の内側の面には、白色の色彩が施されていることが好ましい。あるいは、天板１３１および底板１３２の照明部分の内側の面の表面が光を反射する形状であってもよい。
【００７５】
なお、底板１３２の照明部分の外側の面は、撮影ブース４に面するため、天井面のパネル２と同じ色彩が施されていることが好ましい。
【００７６】
側板１３３は、光を透過する素材で形成される板であって、半透明のアクリル等からなる板であることが好ましい。また、自然な色合いの光で照明を行なうため、側板１３３の色は乳白色であることが好ましい。
【００７７】
さらに、乳白色であって半透明のアクリル板である側板１３３の厚みを変えることで、フラッシュ１１０から撮影ブース４内に照射される光の光量を調節することができる。そのため、複数の厚みの乳白色であって半透明のアクリル板である側板１３３を備え、所望する光量となるアクリル板を側板１３３とすることができる。所望の光量となるアクリル板の選択は、当該照明装置１００を写真自動販売機に設置する設置者等によって選択されてもよいし、撮影を行なうユーザ１５によって選択されてもよい。
【００７８】
遮光板１２０は、光を透過しない素材で形成される板であって、その照明部分側の面は光を反射する機能を備える。すなわち、上述のように、遮光板１２０の照明部分側の面には白色の色彩が施されていることが好ましい。あるいは、遮光板１２０の照明部分側の面の表面が光を反射する形状であってもよい。
【００７９】
さらに、図５および図６に示すように、遮光板１２０ａはフラッシュ１１０から照射される光が直接カメラ２１に入射することを遮る位置に備えられ、遮光板１２０ｂはフラッシュ１１０から照射される光が背景カーテン５に直接照射されることを遮る位置に備えられる。具体的には、遮光板１２０は、照明部分の前後の側板１２０に、水平面から３０°程度の角度をもって接合されていることが好ましい。
【００８０】
さらに図６を参照して、照明装置１００は、遮光板１２０の端部に４つの取付部１４０を備える。取付部１４０は、照明装置１００を写真自動販売機の天井面のパネル２に取付けるためのものであり、これを備えることによって照明装置１００が写真自動販売機のパネル２に着脱可能となる。具体的には、天井面のパネル２と平行な金属性の板等が該当し、ボルト等を用いてパネル２と接合することで、照明装置１００をパネル２に取付けることを可能とする。また、パネル２が金属性である場合には、取付部１４０は、磁力を用いた着脱手段であっても構わない。
【００８１】
また、図７に、照明装置１００の構成の第２の具体例を示す。図７を参照して、第２の具体例においては、照明装置１００は、側板１３３と遮光板１２０との接合部分を中心軸として、遮光板１２０を水平面から側板１３３までの任意の角度まで回転移動させる遮光板可動装置１５０を備える。遮光板可動装置１５０は、具体的にはトルクモータ等を用いて、側板１３３と遮光板１２０との接合部分を中心として、遮光板１２０を水平面から任意の角度まで回転移動させる。
【００８２】
また、遮光板可動装置１５０は、遮光板１２０を上下に可動とするための遮光板可動装置１５０を備えてもよい。この場合の遮光板可動装置１５０は、具体的にはモータ等を用いて、遮光板１２０を側板１３３上に備えられるレール（図示せず）に沿って上下に移動させる。なお、この場合には、遮光板可動装置１５０は、遮光板１２０の移動に伴なって遮光板１２０より下（撮影ブース４側）となる側板１３３に、遮光手段を施す機能を備えることが好ましい。なぜなら、遮光板１２０が上に移動することで、それより下に位置する側板１３３からは、フラッシュ１１０より照射される光が直接撮影ブース４に入射し、被写体であるユーザ５を照射してしまう可能性があるからである。具体的には、遮光板可動装置１５０は、遮光板１２０の上方向への移動に伴なって遮光板１２０より下となる側板１３３に、自動的に遮光フィルム等を密着させ、遮光板１２０の下方向への移動に伴なって、密着させた遮光フィルム等を巻取る方法等が考えられる。
【００８３】
この場合、遮光板可動装置１５０にはＰＣ１０１からの制御信号を伝えるためのケーブル（図示せず）が接続され、遮光板可動装置１５０による遮光板１２０の移動がＰＣ１０１によって制御される。写真自動販売機では、タブレットディスプレイ１３等でユーザ１５から遮光板１２０の位置の指示を受付けると、ＰＣ１０１から遮光板可動装置１５０に対して制御信号を出力する。
【００８４】
なお、図７に示される照明装置１００の第２の具体例においては、遮光板１２０は連続的に回転移動が可能であってもよい。このような場合、ユーザ１５は、タブレットディスプレイ１３上にて、タブレットペン１４用いて、「もう少し狭く」や「もう少し広げて」等を選択することで遮光板１２０の水平面からの角度を調整し、決定できる。また、遮光板１２０は予め設定されている段階的な固定角度に回転移動が可能であってもよい。この場合、ユーザ１５は、タブレットディスプレイ１３上にて、タブレットペン１４用いて、角度の程度を選択することで遮光板１２０の位置を決定してもよい。
【００８５】
さらにこの場合、取付部１４０は、図７に示すように照明部分に備えられる。言うまでもなく、照明装置１００が図６に示される構成の場合に、取付部１４０が照明部分に備えられても構わない。また、取付部１４０の長さが可変であっても構わない。具体的には、取付部１４０がスライド式の構成であることで実現できる。このような取付部１４０を備えることで、照明装置１００は、撮影ブース４の天井部のパネル２からの距離を調節することが可能になる。
【００８６】
このような照明装置１００を備えることで、写真自動販売機においては、撮影時に撮影ブース４内をまんべんなく照明することが可能となる。そのため、被写体であるユーザ１５が、撮影ブース４内のどこに位置しても、撮影時の光のバランスが均一になり、最適な照明環境を提供することができる。
【００８７】
また、本実施の形態における照明装置１００は、図８に示すように、被写体であるユーザ１５に直接光を照射せず、間接光で照明する。そのため、被写体の一部が極端に照明されるいわゆる「てかり」が発生するということもなく、当たりの柔らかな、自然な光で撮影を行なうことができる。
【００８８】
さらに、本実施の形態における照明装置１００がカメラ２１側に遮光板１２０ａを備えることで、図８に示すように、フラッシュ１１０からカメラ２１への照射光の直接の入射を遮ることができ、最適な照明環境を提供することができる。
【００８９】
また、本実施の形態における照明装置１００が背景カーテン５側に遮光板１２０ｂを備えることで、図８に示すように、フラッシュ１１０から背景カーテン５あるいは被写体であるユーザ１５の背後に位置する面への照射光の直接の入射を遮ることができ、最適な照明環境を提供することができる。このことは、特に、背景カーテン５あるいは被写体であるユーザ１５の背後に位置する面にクロマキー合成を目的とした青色が施されている場合等に有効である。
【００９０】
さらに、照明装置１００が図７に示すような第２の具体例の場合には、遮光板１２０の位置をユーザ１５が調整可能であるので、撮影時の照明の光量をユーザ１５が好みに応じて調整することが可能である。
【００９１】
なお、上述の例では、照明装置１００が遮光板１２０ａと遮光板１２０ｂとの２つの遮光板１２０を備えている例を示しているが、言うまでもなく、側面側にも遮光板１２０を備えていても構わない。また、照明装置１００の照明部分は、箱形状に限定されず、ドーム型形状等のその他の形状であっても構わない。
【００９２】
また、このような照明装置１００が、写真自動販売機等の写真撮影装置に取付可能であることより、すでにある写真撮影装置に取付け、最適な照明環境を提供することができる。
【００９３】
すでに店舗等に設置されている写真撮影装置が蛍光灯などの照明装置を用いたものである場合には、フラッシュ用の閃光装置を新たに設けることは困難である。特に、筐体１内部に増設することは、筐体１内部の構造やスペースがない等の理由で困難である。それに対して本実施の形態における照明装置１００は、撮影ブース４内部の天井部に設置する構成であるため、蛍光灯だけのような従来の写真撮影装置であっても、後から容易に取付けることができる。
【００９４】
このことにより、最適な照明環境での撮影をユーザに提供でき、ユーザの満足度を各段に向上させることができる。さらに、ユーザの利用頻度が低下している写真撮影装置の売上も向上させることができる。
【００９５】
さらに、上述の写真自動販売機の制御方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９６】
提供されるプログラム製品は、ハードディスクなどのプログラム格納部にインストールされて実行される。なお、プログラム製品は、プログラム自体と、プログラムが記録された記録媒体とを含む。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真撮影装置である、写真自動販売機の外観の具体例を示す図である。
【図２】筐体１を正面（撮影ブース４内方向）から見た具体例を示す図である。
【図３】本実施の形態における写真自動販売機の機能ブロック図である。
【図４】本実施の形態における写真自動販売機での処理を示すフローチャートである。
【図５】照明装置１００が設置された写真自動販売機の具体例を示す図である。
【図６】照明装置１００の第１の具体例を示す図である。
【図７】照明装置１００の第２の具体例を示す図である。
【図８】照明装置１００による照明の状態を示す図である。
【符号の説明】
１　筐体、２　パネル、３　フレーム材、４　撮影ブース、５　背景カーテン、６　サイドカーテン、７　メインポスター、８　バックドア、９　プリント取出口、１０　印刷中ＬＥＤ、１１　印刷エラーＬＥＤ、１２　プリンタ、１３　タブレットディスプレイ、１４　タブレットペン、１５　ユーザ、１８，１８ａ，１８ｂ　照明ボックス、２１，２１ａ，２１ｂ　カメラ、２２　モニタ、２３スピーカ、２６　コイン投入口、２７　錠、２８　フロントドア、２９　電源スイッチ、３０　照明装置、１００　照明装置、１０１　ＰＣ、１０２　制御部、１０３　電源制御部、１０４　ＵＰＳ、１０５　サービスパネル、１０６　フラッシュ制御部、１０７　コイン制御部、１１０　フラッシュ、１２０　遮光板、１３１　天板、１３２　底板、１３３　側板、１４０　取付部、１５０　遮光板可動装置。
【図１】
2004109433.tif 000003
【図２】
2004109433.tif 000004
【図３】
2004109433.tif 000005
【図４】
2004109433.tif 000006
【図５】
2004109433.tif 000007
【図６】
2004109433.tif 000008
【図７】
2004109433.tif 000009
【図８】
2004109433.tif 000010